(57)【要約】【課題】便座及び便蓋の着脱を容易にする。【解決手段】便座及び便蓋と連動するヒンジピンが側面から突出して設けられた本体部と、前記ヒンジピンと連動する便座及び便蓋と、を備え、便座と便蓋が同一軸上に軸支された便座装置において、便蓋と連動するヒンジピンの先端部を空転不能に保持し、使用者が操作することにより前記ヒンジピンの先端部から自在に着脱可能な操作部を持つヒンジピン保持部が便蓋に設けられ、前記ヒンジピン保持部と同側にある便座のヒンジは便蓋に対して空転自在、かつ操作をすることなく本体部から着脱可能とされ、便座と連動するヒンジピンの先端部を空転不能に保持し、保持部には着脱のための操作部は設けられず、ヒンジピンが差し込まれる穴部が軸方向のみ開口している袋形状の保持部が便座に設けられ、前記袋形状の保持部と同側の便蓋ヒンジは、便座に対して空転自在に結合されたことを特徴とする便座装置が提供される。【選択図】図２
2010167135.tif 000002
【特許請求の範囲】
【請求項１】
便座及び便蓋と連動するヒンジピンが側面から突出して設けられた本体部と、前記ヒンジピンと連動する便座及び便蓋と、を備え、便座と便蓋が同一軸上に軸支された便座装置において、
便蓋と連動するヒンジピンの先端部を空転不能に保持し、使用者が操作することにより前記ヒンジピンの先端部から自在に着脱可能な操作部を持つヒンジピン保持部が便蓋に設けられ、
前記ヒンジピン保持部と同側にある便座のヒンジは便蓋に対して空転自在、かつ操作をすることなく本体部から着脱可能とされ、
便座と連動するヒンジピンの先端部を空転不能に保持し、保持部には着脱のための操作部は設けられず、ヒンジピンが差し込まれる穴部が軸方向のみ開口している袋形状の保持部が便座に設けられ、
前記袋形状の保持部と同側の便蓋ヒンジは、便座に対して空転自在に結合されたことを特徴とする便座装置。
【請求項２】
便座及び便蓋と連動するヒンジピンが側面から突出して設けられた本体部と、前記ヒンジピンと連動する便座及び便蓋と、を備え、便座と便蓋が同一軸上に軸支された便座装置において、
便座と連動するヒンジピンの先端部を回転不能に保持し、使用者が操作することにより前記ヒンジピンの先端部から自在に着脱可能な操作部を持つヒンジピン保持部が便座に設けられ、
前記ヒンジピン保持部と同側にある便蓋のヒンジは便座に対して空転自在、かつ操作をすることなく本体部から着脱可能とされ、
便蓋と連動するヒンジピンの先端部を空転不能に保持し、保持部には着脱のための操作部は設けられず、ヒンジピンが差し込まれる穴部が軸方向のみ開口している袋形状の保持部が便蓋に設けられ、
前記袋形状の保持部と同側の便座ヒンジは、便蓋に対して空転自在に結合されたことを特徴とする便座装置。
【請求項３】
前記袋形状の保持部は、
前記ヒンジピンの先端部を保持するヒンジピン保持部と、
前記ヒンジピン保持部よりも浅い位置に設けられ、ヒンジピンを中心とした回転方向においてヒンジピンが開く方向と同じ方向に角度位相差が設けられたヒンジピン嵌合部と、
を有することを特徴とする請求項１または２に記載の便座装置。
【発明の詳細な説明】
【技術分野】
【０００１】
本発明は、洋式便器に設けられる便座や便蓋の着脱機構を備えた便座装置に関する。
【背景技術】
【０００２】
洋式便器の便座、便蓋の開閉機構を備えた便座装置については、従来、様々な方式のものが開発されているが、その中に、座を開閉駆動するための便座駆動用のヒンジピンおよび便蓋を開閉駆動するための便蓋駆動用のヒンジピンが左右両側面からそれぞれ突出して設けられた本体部と、前記便座駆動用のヒンジピンに支持された便座と、前記便蓋駆動用のヒンジピンに支持された便蓋とを備えた便座装置において、便座駆動用及び便蓋駆動用のヒンジピンを便座及び便蓋のヒンジピン保持部に着脱するための開口部を当該ヒンジピン保持部の側面に設け、ヒンジピンの軸方向に往復移動させることにより開口部を開閉する保持体を前記ヒンジピン保持部に設け、この保持体には開口部を開閉する保持体を付勢するための弾性体や、手動操作するための操作部を、便座及び便蓋の双方に設けている便座装置がある（特許文献１）。
【先行技術文献】
【特許文献】
【０００３】
【特許文献１】特開２００７−１１１１８９号公報
【発明の概要】
【発明が解決しようとする課題】
【０００４】
特許文献１に記載の「便座装置」において、開口部を開閉する保持体を付勢するための弾性体や手動操作するための操作部を便座及び便蓋の双方に設けると、着脱作業は容易になるが、多くの部品を設けなければならずコストが高くなるという問題があった。また、簡単な動作であっても手動で便座及び便蓋の２つの操作部を操作しなければならず、きわめて容易に便座を外せるとは言えなかった。
【課題を解決するための手段】
【０００５】
本発明によれば、便座及び便蓋と連動するヒンジピンが側面から突出して設けられた本体部と、前記ヒンジピンと連動する便座及び便蓋と、を備え、便座と便蓋が同一軸上に軸支された便座装置において、便蓋と連動するヒンジピンの先端部を空転不能に保持し、使用者が操作することにより前記ヒンジピンの先端部から自在に着脱可能な操作部を持つヒンジピン保持部が便蓋に設けられ、前記ヒンジピン保持部と同側にある便座のヒンジは便蓋に対して空転自在、かつ操作をすることなく本体部から着脱可能とされ、便座と連動するヒンジピンの先端部を空転不能に保持し、保持部には着脱のための操作部は設けられず、ヒンジピンが差し込まれる穴部が軸方向のみ開口している袋形状の保持部が便座に設けられ、前記袋形状の保持部と同側の便蓋ヒンジは、便座に対して空転自在に結合されたことを特徴とする便座装置が提供される。
【０００６】
このような構成とすれば、便座の駆動側に操作部を設けない構成であっても、便蓋側の操作部を操作して便蓋を外してしまえば、便座側を操作することなく、便座を持ち上げるだけで容易に便座を外すことが出来る。
【０００７】
また、本発明によれば、便座及び便蓋と連動するヒンジピンが側面から突出して設けられた本体部と、前記ヒンジピンと連動する便座及び便蓋と、を備え、便座と便蓋が同一軸上に軸支された便座装置において、便座と連動するヒンジピンの先端部を回転不能に保持し、使用者が操作することにより前記ヒンジピンの先端部から自在に着脱可能な操作部を持つヒンジピン保持部が便座に設けられ、前記ヒンジピン保持部と同側にある便蓋のヒンジは便座に対して空転自在、かつ操作をすることなく本体部から着脱可能とされ、便蓋と連動するヒンジピンの先端部を空転不能に保持し、保持部には着脱のための操作部は設けられず、ヒンジピンが差し込まれる穴部が軸方向のみ開口している袋形状の保持部が便蓋に設けられ、前記袋形状の保持部と同側の便座ヒンジは、便蓋に対して空転自在に結合されたことを特徴とする便座装置が提供される。
【０００８】
このような構成とすれば、便蓋の駆動側に操作部を設けない構成であっても、便座側の操作部を操作して便座を外してしまえば、便蓋側を操作することなく、便蓋を持ち上げるだけで容易に便蓋を外すことが出来る。
【０００９】
ここで、前記袋形状の保持部は、前記ヒンジピンの先端部を保持するヒンジピン保持部と、前記ヒンジピン保持部よりも浅い位置に設けられ、ヒンジピンを中心とした回転方向においてヒンジピンが開く方向と同じ方向に角度位相差が設けられたヒンジピン嵌合部と、を有するものとすることができる。
【００１０】
このようにすれば、便座もしくは便蓋を取り付ける際に、ヒンジピンが便座もしくは便蓋の全開角度よりも上回った角度に位置する場合でも、回転方向の位相差を設けたヒンジピン嵌合部がヒンジピンと嵌合し、ヒンジピンがヒンジピン保持部に挿入されるための補助部となるため、便座もしくは便蓋を取り付けることが可能となる。
【発明の効果】
【００１１】
本発明により、便座・便蓋の着脱作業を容易に行うことができ、なおかつコストを抑えた便座装置を提供することができる。
【図面の簡単な説明】
【００１２】
【図１】本発明の実施の形態にかかる便座装置を示す斜視図である。
【図２】（ａ）は便蓋を開いた状態を示すヒンジ中心鉛直方向の一部省略断面図であり、（ｂ）は、操作部を操作して着脱可能な状態になった状態を示すヒンジ中心鉛直方向の一部省略断面図である。
【図３】着脱可能な操作部は設けない袋形状の保持部の斜視図である。
【図４】ヒンジピン保持部を示す斜視図である。
【図５】便座・便蓋の着脱動作を示す模式図である。
【図６】着脱可能な操作部は設けない袋形状の保持部の斜視図である。
【発明を実施するための形態】
【００１３】
以下、図面に基づいて本発明の実施の形態について説明する。
【００１４】
図１は本発明の実施の形態に係る着脱構造を備えた便座装置を示す斜視図、図２（ａ）は便座・便蓋を開いた状態を示すヒンジ中心鉛直方向の一部省略断面図、図２（ｂ）は操作部を操作して着脱可能な状態になった状態を示すヒンジ中心鉛直方向の一部省略断面図、図３は着脱可能な操作部は設けない袋形状の保持部、図４はヒンジピン保持部を示す斜視図、図５は便座・便蓋の着脱動作を示す模式図、図６は着脱可能な操作部は設けない袋形状の保持部の斜視図である。
【００１５】
図１に示すように、本実施形態の便座装置１は、本体部１０と、本体部１０の正面側に倒伏・起立可能に取り付けられた便座１１および便蓋１２と、を備えている。
【００１６】
本体部１０の右側面には、便座１１を開閉駆動するための便座駆動用のヒンジピン１３Ｒ（図２参照）が突出して設けられ、本体部１０の左側面には便蓋１２を開閉駆動するための便蓋駆動用のヒンジピン１３Ｌ（図２参照）が突出して設けられている。すなわち、本体部１０の左右側面には、便座１１及び便蓋１２とそれぞれ連動する左右一対のヒンジピン１３Ｒ、１３Ｌが突出して設けられている。
【００１７】
そして、図２に示すように、ヒンジピン１３Ｒは本体部１０の右側の駆動機構収納部１０ｂから突出した状態に設けられ、ヒンジピン１３Ｌは本体部１０の左側の駆動機構収納部１０ａから突出した状態に設けられている。また、ヒンジピン１３Ｌ，１３Ｒの各々は、軸部分の径より大きい長円形の短柱（Ｔ字形）状の先端部１３ａ，１３ｂを有している。
【００１８】
便座１１の右側の基端部１１ｂには、便座駆動用のヒンジピン１３Ｒの先端部１３ｂを保持して連動する、袋形状の保持部１６が設けられている。保持部１６には、着脱可能な操作部は設けられていない。
【００１９】
また、便座１１の左側の基端部１１ａ（図１）には、便蓋駆動用のヒンジピン１３Ｌの軸部が空転可能に係合するヒンジピン受部１１ａａが設けられている。ヒンジピン受部１１ａａは、操作することなく本体部から着脱可能とされている。また、便蓋１２の左側の基端部１２ａは、便座１１の左側の基端部１１ａの左端部に空転可能に係合している。一方、便蓋１２の左側基端部１２ａには、便蓋駆動用のヒンジピン１３Ｌの先端部１３ａを保持して連動するヒンジピン保持部１５が設けられている。ヒンジピン保持部１５は、使用者が自在に着脱可能な操作部１４ａを有する。また、便蓋１２の右側の基端部１２ｂ（図１）には、便座１１の右側の基端部１１ｂと空転可能に係合する便座受部１２ｂｂ（図２）が設けられている。
【００２０】
また、図２には、操作部１４ａを操作して、ヒンジピン１３Ｌから着脱可能な状態になった状態が示されている。すなわち、図２（ａ）に示す操作部１４ａは、図２（ｂ）に示すようにヒンジピン１３Ｌの軸方向にスライド可能である。操作部１４ａをスライドさせることにより、ヒンジピン１３Ｌの先端部１３ａのヒンジピン保持部１５による固定を解除することができる。これにより、ヒンジピン１３Ｌの先端部１３ａをヒンジピン保持部１５から容易に取り出すことができる。
【００２１】
また、図３は、着脱可能な操作部は設けない袋形状の保持部１６の拡大図である。図示するように、保持部１６には、孔部１６ｈが設けられ、孔部１６ｈに、ヒンジピン１３Ｒの先端部１３ｂが空転不能（回転不能）に保持される。
【００２２】
また、図４は、ヒンジピン１３Ｒの側からヒンジピン保持部１５を眺めた斜視図である。矢印で表したように、操作部１４ａは、ヒンジピン１３Ｌの軸方向にスライド可能である。操作部１４ａは、ヒンジピン１３Ｒの方向（図２において右方向、図４において左方向）に向けて、バネなどにより付勢されている。そして、操作部１４ａをヒンジピン１３Ｌの先端部１３ａから遠ざけるよう（図４において右方向）にスライドさせると、図２（ｂ）に表したように、ヒンジピン保持部１５の孔部１５ｈが開放される。したがって、ヒンジピン１３Ｌの先端部１３ａを、ヒンジピン保持部１５に設けられた孔部１５ｈから取り出し、あるいは挿入することができる。ヒンジピン１３Ｌの先端部１３ａを孔部１５ｈに挿入し、操作部１４ａが図２（ａ）に表した状態に戻ると、ヒンジピン１３Ｌの先端部１３ａがヒンジピン保持部１５に固定される。
【００２３】
図５（ａ）は便蓋１２を取り外す動作を表す模式図であり、図５（ｂ）は便座１１を取り外す動作を表す模式図である。
【００２４】
まず、便蓋１２の取り外しを行うためには、操作部１４ａを操作して、図５（ａ）の矢印ａの方向（図２の右側から左側に向けた方向）にスライドさせる。これにより、図２（ｂ）に示すように、ヒンジピン１３Ｌの先端部１３ａの下方が開放され、ヒンジピン１３Ｌが下方向に抜けるようになる。したがって、図５（ａ）の矢印ｂで表した方向に便蓋１２の左側の基端部１２ａを持ち上げることにより、ヒンジピン１３Ｌをヒンジピン保持部１５から取り外すことができる。
【００２５】
これにより、便座１１の右側の基端部１１ｂ（図２）と空転自在に結合されている便蓋１２の右側の基端部１２ｂが容易に取り外し可能となる。したがって、図５（ａ）に表したように、便蓋１２を右斜め方向（図５（ａ）矢印ｂ）に持ち上げた後に、図５（ａ）において便蓋１２を左側から右側にスライドさせると、基端部１１ｂと基端部１２ｂとが容易に外れ、便座１１から便蓋１２を完全に取外すことができる。
【００２６】
便蓋駆動用のヒンジピン１３Ｌの軸部に空転可能、かつ操作をすることなく本体部から着脱可能に係合するヒンジピン受部１１ａａは、便蓋１２が完全に外れたことにより、ヒンジピン１３Ｌから離すことができる。すなわち、便座１１を図５（ｂ）に表したように右斜め上方に持ち上げることで、左側の基端部１１ａを容易に本体部１０から外すことが出来る。
【００２７】
これによりヒンジピン１３Ｒと結合されている袋形状の保持部１６がヒンジピン１３Ｒから容易に取り外し可能となる。つまり、便蓋１２を外す際に操作部１４ａを操作するような特別な操作をすることなく、ヒンジピン１３Ｒの先端部１３ｂから保持部１６を抜くことで便座１１を本体部１０から容易に外すことができる。
【００２８】
一方、外した便座１１を再び本体部１０に取り付ける場合は、まず着脱可能な操作部は設けない袋形状の保持部１６を、ヒンジピン１３Ｒの先端部１３ｂに合わせるようにして嵌め込む。ヒンジピン受部１１ａａも、特に操作をすることなく本体部に着脱可能であるため、容易に便座１１を本体部１０に取り付けることができる。
【００２９】
外した便蓋１２を再び本体部１０と便座１１に取り付ける場合、まず便座受部である基端部１２ｂを便座１１の右側の基端部１１ｂに嵌め込む。次に、ヒンジピン保持部１５にヒンジピン１３Ｌを挿入することにより、容易に便蓋１２を本体部１０と便座１１に取り付けることが出来る。
【００３０】
ここで保持部１６は、ヒンジピンが差し込まれる穴部が軸方向のみ開口している袋形状であるため、ヒンジピンのＴ字形状の先端部１３ｂに保持部１６を嵌合させるためには、保持部１６の向きをヒンジピンのＴ字形状の先端部１３ｂの向きに合わせて取り付けることが必要である。このため、便座１１が常に開方向に付勢されるような機構を有している場合など、ヒンジピンのＴ字形状の先端部１３ｂが開方向に回りすぎている場合は、便座１１もその分大きな角度で取り付けなければならない。しかし、実際は便座１１を大きく開こうとしても、背後にロータンクなどがある等で開角度に制限があることが多く、ヒンジピンのＴ字形状の先端部１３ｂの回っている角度よりも閉じた（小さい）角度で便座１１を取り付けなければならない場合がある。
【００３１】
これに対して、図６に表したように、保持部１６にヒンジピン１３Ｒの中心軸を中心とした回転方向の位相差を設けたヒンジピン嵌合部１６ａを設けると、ヒンジピン１３Ｒが開方向に回りすぎており、ヒンジピンの先端部１３ｂの角度が便座１１の開角度より大きい場合でも、ヒンジピンが開く方向と同じ方向の角度位相差を有するヒンジピン嵌合部１６ａをヒンジピンの先端部１３ｂに係合させ、ヒンジピン１３Ｒの回転を戻すように捻ることにより、袋形状の保持部１６を容易にヒンジピン１３ｂに嵌め込むことが出来る。
【００３２】
なお、以上説明した具体例において、ヒンジピン１３Ｒ、１３Ｌは、それぞれ便座１１、便蓋１２を開閉駆動するものでなく、開閉動作にブレーキをかけるダンパー機構を有するものであってもよい。  
【００３３】
また、便座１１と便蓋１２の軸支部の構造を逆の関係としてもよい。すなわち、使用者が操作部（操作部１４に相当する）を操作することにより、まず便座１１を取り外すことができ、その後に、操作部を操作することなく便蓋１２を取り外すことができるようにすることもできる。
【符号の説明】
【００３４】
１  便座装置、１０  本体部、１０ａ  本体部１０の左側の駆動機構収納部、１０ｂ  本体部１０の右側の駆動機構収納部、１１  便座、１１ａ  便座１１の左側の基端部、１１ａａ  ヒンジピン受部、１１ｂ  便座１１の右側の基端部、１２  便蓋、１２ａ  便蓋１２の左側の基端部、１２ｂ  便蓋１２の右側の基端部、１２ｂｂ  便座受部、１３Ｌ  ヒンジピン、１３Ｒ  ヒンジピン、１３ａ  先端部  １３ｂ  先端部  １４ａ  操作部、１５  ヒンジピン保持部、１５ｈ  孔部、１６  保持部、１６ｈ  孔部、１６ａ  ヒンジピン嵌合部
【図１】
2010167135.tif 000003
【図２】
2010167135.tif 000004
【図３】
2010167135.tif 000005
【図４】
2010167135.tif 000006
【図５】
2010167135.tif 000007
【図６】
2010167135.tif 000008